(57)【要約】【課題】ステープラをユーザが指定した綴じを実行可能な位置に移動させ、打針を行う綴じ装置において、ユーザが指定した綴じを可能とする打針位置へのステープラの移動を短時間で行うことが可能な、生産性の高い綴じ装置を提供する。【解決手段】ステープラが、ユーザが指定した綴じを実行可能な位置にあるときには前記ステープラを移動させず打針させる。【選択図】図１０
2010058936.tif 000002
【特許請求の範囲】
【請求項１】
記録紙を載置して記録紙束を形成するスタッカと、
前記スタッカに載置された記録紙束に打針を行うステープラと、
前記ステープラの位置を移動させるステープラ移動手段と、
前記ステープラの位置を検出するステープラ位置検出手段と、
少なくとも前記ステープラおよび前記ステープラ移動手段を制御する制御手段と、
を有し、
前記制御手段は、前記ステープラ位置検出手段により検出された前記ステープラの位置が、ステープラ位置指定情報にて指定された指定位置であるときには、その位置にて前記ステープラに打針させ、
前記ステープラ位置指定情報に指定された指定位置とは異なるときには、前記ステープラ移動手段にて前記ステープラを前記指定位置に移動させた後に打針を行うよう、少なくとも前記ステープラおよび前記ステープラ移動手段を制御することを特徴とする綴じ装置。
【請求項２】
記録紙に画像形成を行う画像形成装置と、
当該画像形成装置から搬送された記録紙を載置して記録紙束を形成し、当該記録紙束に打針を行う請求項１に記載の綴じ装置と、を有し、
前記ステープラ位置指定情報が前記画像形成装置から前記綴じ装置に伝達されることを特徴とする綴じシステム。
【発明の詳細な説明】
【技術分野】
【０００１】
記録紙にステープルを打針して綴じを行う綴じ装置、および、当該綴じ装置を画像形成装置に接続してなる綴じシステムに関する。
【背景技術】
【０００２】
複写機、プリンタ等の画像形成装置に接続され、画像形成装置から排出される記録紙に、画像形成装置の動作と連動して所定の後処理を行う後処理装置は、事務処理の効率を高めるために使用される。
【０００３】
後処理装置として、画像形成済みの記録紙を束ね、その所定の位置をステープル（綴じ針）にて綴じて綴じ処理を行って冊子を形成する綴じ装置がある。
【０００４】
綴じ装置は、記録紙を集積、整列するスタッカと、記録紙にステープル（綴じ針）を打針して綴じる綴じ手段であるステープラを備えており、スタッカに集積、整列された記録紙（以下、記録紙束、と記す。）の所定の位置にステープラにて打針して冊子を形成する。
【０００５】
綴じシステムは、画像形成装置に綴じ装置を接続し、画像形成装置の動作と連動して、画像形成装置から排出される綴じを行うシステムであり、事務処理の効率を高めるために使用されている。
【０００６】
綴じ装置には、記録紙束の中央に打針して綴じる中綴じ装置と、記録紙束の側端部の、縦方向の中央を２箇所綴じたり、コーナを１箇所斜めに綴じたりする綴じ装置とがあり、ユーザの用途に応じて選択、使用されている。
【０００７】
図１１は、綴じ装置における打針位置の例を示す図である。図１１（ａ）は記録紙束の側端に沿った２箇所に打針して綴じる中央２箇所綴じ、図１１（ｂ）は、記録紙束の図示左側コーナ部に１箇所斜めに打針して綴じるコーナ綴じＢ、図１１（ｃ）は、記録紙束の図示右側コーナ部に１箇所斜めに打針して綴じるコーナ綴じＣを示す図である。
【０００８】
通常の綴じ装置は、１台のステープラを有しており、１台のステープラを、移動して打針させることにより、中央２箇所綴じ、コーナ綴じＢ、コーナ綴じＣを実行できるように構成され、ユーザは、綴じを実施させるに際して、そのいずれかを選択、指定できるようになっている。ここで、中央２箇所綴じが可能な打針位置を、打針位置Ａ、と称すことにする。同様に、コーナ綴じＢ、コーナ綴じＣが可能な打針位置を、それぞれ、打針位置Ｂ、打針位置Ｃと称すことにする。なお、打針位置Ａにおける２箇所の打針位置のうちの打針位置Ｂに近い側を打針位置Ａｂ、打針位置Ｃに近い側を打針位置Ａｃ、と称すことにする。
【０００９】
図１２は、ステープラの移動の例を示す図である。図示されように、ステープラは、スタッカに載置された記録紙束の端面に添って移動し、打針位置Ａａ、Ａｂ、Ｂ、Ｃのいずれにも移動可能に構成される。
【００１０】
綴じシステムにおいては、画像形成装置や、接続された綴じ装置は、ユーザが入力した情報に基づき動作する。例えば、画像形成を実行させるに際しての記録紙のサイズや枚数、綴じを行うか否か、綴じを行うときの打針位置はどこにするか、等は、ユーザにより決定され、入力される。
【００１１】
画像形成や後処理を実行するに際して、画像形成装置や綴じ装置が実行する動作をジョブ、ユーザが画像形成や綴じを実行させるに際して入力する情報をジョブ情報と称することにする。この、ジョブ情報は、通常、画像形成装置に配された入力手段部より入力される。
【００１２】
入力手段部には、綴じを行うに際して、例えば、中央２箇所綴じ、コーナ綴じＢ、コーナ綴じＣのいずれかを行うかの選択肢が表示され、ユーザはそのいずれかを選択して指定できるものが一般的で、綴じ装置は、入力手段部から入力されたユーザが指定した綴じ、を可能とする打針位置にステープラを移動させて打針を行う。
【００１３】
ユーザが指定した綴じを実行する打針位置へのステープラの移動に関し、ステープラを、ステッピングモータにて駆動して移動するように構成し、入力されたジョブ情報に基づく綴じを実行するに、先ず、ステープラを初期位置（ホームポジション）に移動し、次いで、ホームポジションから選択された綴じを実行する打針位置までステープラを移動するのに必要なステップ数を算出し、算出したステップ数にてステッピングモータを駆動してステープラをジョブに指定された打針位置に移動させる技術が提案されている（特許文献１）。
【００１４】
特許文献１に提案された技術は、正確な打針位置にステープラを移動させることが可能であるが、ステープラを一旦ホームポジションに戻してから、選択された位置まで移動させるので、ステープラを所定の位置に移動させるに時間がかかり、生産性が低い。このような背景から、もっと生産性の高い綴じ装置が待望されている。
【特許文献１】特開２００６−６９７４７号公報
【発明の開示】
【発明が解決しようとする課題】
【００１５】
本発明は、ユーザが指定した綴じを可能とする打針位置へのステープラの移動を短時間で行うことが可能な、生産性の高い綴じ装置、および、生産性の高い綴じ装置と画像形成装置とからなる綴じシステムを提供することを課題とするものである。
【課題を解決するための手段】
【００１６】
前記課題は、以下の手段により解決できる。
（１）記録紙を載置して記録紙束を形成するスタッカと、
前記スタッカに載置された記録紙束に打針を行うステープラと、
前記ステープラの位置を移動させるステープラ移動手段と、
前記ステープラの位置を検出するステープラ位置検出手段と、
少なくとも前記ステープラおよび前記ステープラ移動手段を制御する制御手段と、
を有し、
前記制御手段は、前記ステープラ位置検出手段により検出された前記ステープラの位置が、ステープラ位置指定情報にて指定された指定位置であるときには、その位置にて前記ステープラに打針させ、
前記ステープラ位置指定情報に指定された指定位置とは異なるときには、前記ステープラ移動手段にて前記ステープラを前記指定位置に移動させた後に打針を行うよう、少なくとも前記ステープラおよび前記ステープラ移動手段を制御することを特徴とする綴じ装置。
（２）記録紙に画像形成を行う画像形成装置と、
当該画像形成装置から搬送された記録紙を載置して記録紙束を形成し、当該記録紙束に打針を行う前記（１）に記載の綴じ装置と、を有し、
前記ステープラ位置指定情報が前記画像形成装置から前記綴じ装置に伝達されることを特徴とする綴じシステム。
【発明の効果】
【００１７】
本発明により、ユーザが指定した綴じを可能とする打針位置へのステープラの移動を短時間で行うことが可能な、生産性の高い綴じ装置、および、生産性の高い綴じ装置と画像形成装置とからなる綴じシステムを提供できる。
【発明を実施するための最良の形態】
【００１８】
以下、図面を参照しながら、本発明の綴じ装置、および、画像形成装置に本発明の綴じ装置を接続してなる綴じシステムを説明する。
【００１９】
図１は、本発明の実施の形態の一例である綴じ装置２００を画像形成装置１００に接続した綴じシステムを説明する図である。
【００２０】
画像形成装置１００は、原稿読み取り部１１０、画像処理部１２０、画像書き込み部１３０、画像形成部１４０、給紙搬送部１５０、定着部１６０、操作表示部１７０、および制御部１９０を備えている。
【００２１】
操作表示部１７０はユーザが画像形成装置１００、および、接続された綴じ装置２００を動作させるためのジョブ情報を入力する入力手段部として機能する。
【００２２】
操作表示部１７０からは、ジョブ情報として、画像形成装置１００を動作させるための記録紙のサイズの選択や枚数の選択、また、接続した綴じ装置２００を動作させるための、綴じを行うか否かの選択、さらに、綴じを行わせるときには中央２箇所綴じ、コーナ綴じＢ、コーナ綴じＣのいずれとするかの選択、１冊に綴じられる記録紙の枚数、形成する冊子の数、等を入力することができる。また、操作表示部１７０はスタートボタンを有し、ユーザがスタートボタンを押圧することにより、画像形成装置１００および綴じ装置２００の、操作表示部１７０に入力されたジョブ情報に基づく動作を開始させることができる。
【００２３】
制御部１９０は、操作表示部１７０から入力されたユーザが指定した綴じの情報を含むジョブ情報を踏まえて、画像形成装置１００の画像形成動作を制御するとともに、綴じ装置２００を画像形成装置１００の画像形成動作に連動して動作させるように制御する。
【００２４】
画像形成装置１００の上部には、自動原稿送り装置ＤＦが搭載されている。自動原稿送り装置ＤＦの原稿台上に載置された原稿ｄは矢印方向に搬送され、原稿読み取り部１１０の光学系により原稿の画像が読みとられ、画像情報が取得される。
【００２５】
取得された画像情報は、画像処理部１２０（図８に表示）において、必要とする画像処理がなされた後、画像書き込み部１３０に送付される。
【００２６】
画像書き込み部１３０においては、半導体レーザから画像情報に基づく出力光が画像形成部１４０の感光体ドラム１４１に照射され、感光体ドラム１４１に潜像を形成する。画像形成部１４０においては、帯電、露光、現像等の処理が行われ、感光体ドラム１４１に形成されたトナー像が給紙搬送部１５０により搬送された記録紙Ｓに画像が転写される。
【００２７】
転写された画像が定着部１６０により定着されて、記録紙Ｓは排出される。
【００２８】
綴じ装置２００は、スタッカ２５０、ステープラ２６０を有し、画像形成装置１００から排出された記録紙Ｓを記録紙束となし、記録紙束に綴じ針を打針して綴じ処理を行うことができる。
【００２９】
綴じ装置２００は、図１１に示した、中央２箇所綴じ、コーナ綴じＢ、コーナ綴じＣ、の、３種類の綴じを行うことができる。
【００３０】
画像形成装置１００から受け入れた記録紙Ｓに綴じを行うときは、受け入れた記録紙Ｓをスタッカ２５０に、所定の枚数、積載して記録紙束Ｓｓを形成し、ユーザにより選択された、中央２箇所綴じ、コーナ綴じＢ、コーナ綴じＣ、のいずれかを実施可能な位置にステープラ２６０を移動させて打針を行う。綴じがなされて形成された冊子は、排紙皿２１９に排出される。
【００３１】
また、綴じ装置２００は、画像形成装置１００から受け入れた記録紙Ｓに綴じを行わないことも可能であり、綴じを行わないときには、受け入れた記録紙Ｓを、直接、排紙皿２１９に、排出する。
【００３２】
このような、綴じ装置２００を動作せせるに際して、ユーザによる綴じを行うか否かの選択、綴じを行う際の綴じ位置を、中央２箇所綴じ、コーナ綴じＢ、コーナ綴じＣのいずれとするかの選択は、画像形成装置１００の操作表示部１７０から入力され、画像形成装置１００から綴じ装置２００が実行するジョブ情報として伝達される。
【００３３】
以下、画像形成装置１００から綴じ装置２００に伝達される、綴じを行うか否かの選択結果、および、綴じを行う際の綴じを中央２箇所綴じ、コーナ綴じＢ、コーナ綴じＣのいずれとするかの選択結果、を含むジョブ情報を、「綴じジョブ情報」と称することにする。この、綴じを行う際の綴じを中央２箇所綴じ、コーナ綴じＢ、コーナ綴じＣのいずれとするかの選択結果の情報は、綴じ装置２００におけるステープラの打針位置を指定する情報でもあり、「ステープラ位置指定情報」と称することにする。
【００３４】
コーナ綴じＢが選択されたとき、「ステープラ位置指定情報」にて指定されるステープラの打針位置は打針位置Ｂである。同様に、コーナ綴じＣが選択されたとき、「ステープラ位置指定情報」にて指定されるステープラの打針位置は打針位置Ｃである。
【００３５】
また、中央２箇所綴じが選択されたとき、「ステープラ位置指定情報」にて指定されるステープラの打針位置は打針位置Ａｂ、打針位置Ａｃの２箇所である。
【００３６】
綴じ装置２００は、は記録紙Ｓの搬送路として、入口搬送路ｒ１、綴じ搬送路ｒ２、および排紙搬送路ｒ３を有する。
【００３７】
画像形成装置１００より搬送されてきた記録紙Ｓは、記録紙搬送部２１０により入口搬送路ｒ１を経由して、綴じ処理の有無により、綴じ搬送路ｒ２、あるいは、排紙搬送路ｒ３のいずれかに導かれるようになっている。
【００３８】
記録紙Ｓに綴じ処理を行わないときには、入口搬送路ｒ１に受け入れられた記録紙Ｓは、排紙搬送路ｒ３に導かれ排紙皿２１９に排出、載置される。
【００３９】
また、綴じ処理を行うときには、綴じ搬送路ｒ２に導かれ、スタッカ２５０に搬送される。
【００４０】
綴じ搬送路ｒ２を搬送された記録紙Ｓは、傾斜配置されたスタッカ２５０の上方空間に放出される。そして、スタッカ２５０における記録紙載置面２５０Ｓ、または既に記録紙載置面２５０Ｓ上に積載されている記録紙Ｓの上面に接し、さらに滑走上昇したのち、スタッカ２５０の傾斜面上を滑落し、記録紙後端ストッパ２５０Ｅに当接して停止し、既に記録紙載置面２５０Ｓ上に積載されている記録紙Ｓとともに記録紙束Ｓｓとなる。
【００４１】
そして、画像形成装置１００から記録紙束の末尾となる記録紙が排出され、記録紙載置面２５０Ｓ上に載置されると、ステープラ２６０により記録紙束Ｓｓに打針が行われ、冊子が形成される。
【００４２】
形成された冊子は、排紙皿２１９に排出、積載される。
【００４３】
ステープラ２６０は、スタッカ２５０の周縁、具体的には、記録紙後端ストッパ２５０Ｅ、に添って移動可能であり、スタッカ２５０に載置されている記録紙束Ｓｓに、中央２箇所綴じ、コーナ綴じＢ、コーナ綴じＣを行うことができる。
【００４４】
ステープラ２６０は、打針機構部２６１と移動機構部２６３、および打針機構部２６１と移動機構部２６３とを連結する連結部材２６２とを有し、打針機構部２６１と移動機構部２６３とが、ステープラ支持基板２６９の表裏をはさんで、ステープラ支持基板２６９の面に添って移動可能に配設されている。ステープラ支持基板２６９は、スタッカ２５０の記録紙載置面２５０Ｓに平行になるように綴じ装置２００に固定されており、ステープラ２６０をステープラ支持基板２６９の面に添って移動させることにより、ステープラ２６０は、スタッカ２５０に載置されている記録紙束Ｓｓの表面に平行に移動し、ユーザが選択する綴じを実行可能な打針位置（所定位置）に移動させることができる。
【００４５】
図２は、記録紙束Ｓｓへ打針を行うに際しての、ステープラ２６０の打針位置を説明する図である。ステープラ２６０は、ステープラ支持基板２６９の面に平行に、かつ、スタッカ２５０の記録紙後端ストッパ２５０Ｅに添って移動可能に配置されている。図２は、ステープラ２６０を記録紙束Ｓｓの上面側より見た図であり、ステープラ２６０は、図示される複数の所定位置として打針位置Ｂ、Ａｂ、Ａｃ、Ｃ、に移動させることが可能である。
【００４６】
ステープラ２６０が打針位置Ｂにて打針を行うとき、コーナ綴じＢがなされる。同様に、打針位置Ｃにて打針を行うとき、コーナ綴じＣがなされる。また、打針位置Ａｂ、Ａｃ、にて打針を行うとき、中央２箇所綴じがなされる。なお、中央２箇所綴じのときには、ステープラ２６０は、先ず、打針位置Ａｂ、打針位置Ａｃのいずれかに一方の打針位置にて１箇所目の打針を行った後に、打針がなされていない方の打針位置に移動されて２箇所目の打針を行う。
【００４７】
次に図３、図４、図５、図６を参照して、ステープラ２６０、および、ステープラ２６０の移動について説明する。
【００４８】
図３は、ステープラ２６０を説明する図である。図３においては、ステープラ２６０は打針位置Ａｃにある。
【００４９】
ステープラ２６０は、打針機構部２６１と移動機構部２６３と、打針機構部２６１と移動機構部２６３とを連結する連結部材２６２とを有する。そして、連結部材２６２により連結された打針機構部２６１と移動機構部２６３とが、ステープラ支持基板２６９に、ステープラ支持基板２６９をはさんで、ステープラ支持基板２６９の面に添って移動可能に配設される。
【００５０】
打針機構部２６１は打針部２６１Ａと受け部２６１Ｂとを有し、打針部２６１Ａが回動することによりスタッカ２５０上の記録紙束Ｓｓに打針する。なお、スタッカ２５０の記録紙後端ストッパ２５０Ｅは、打針位置にて打針部２６１Ａが打針を行う際に、打針部２６１Ａに干渉しないように、一部が切り欠かれている。
【００５１】
移動機構部２６３は、移動機構部基板２６４の片面に、ステッピングモータＭｓを、回転軸を貫通させて取り付け、他面に駆動ギヤ２６６と、押さえローラ２６７を回転可能に配したものである。ステッピングモータＭｓの回転軸と、駆動ギヤ２６６の回転軸と、は、タイミングベルト２６５を介して連結されており、ステッピングモータＭｓが回転すると、駆動ギヤ２６６も回転する。駆動ギヤ２６６は外周に歯切りされた歯車であり、その歯は、図５、図６に示すステープラ支持基板２６９に取り付けられたラック２６８に配されたラック歯面２６８Ｂｒにかみ合可能に形成される。
【００５２】
ステープラ２６０がステープラ支持基板２６９に取り付けられると、駆動ギヤ２６６とラック２６８とはかみ合い、ステッピングモータＭｓの回転により駆動ギヤ２６６が回転すると、駆動ギヤ２６６はラック２６８のラック歯面２６８Ｂｒに添って移動する。このように、移動機構部２６３はステープラ２６０を移動するステープラ移動手段として機能する。なお、押さえローラ２６７は、駆動ギヤ２６６とラック歯面２６８Ｂｒとがかみ合うとき、ラック２６８の壁面２６８Ｂｈに当接して、両者のかみ合いを保つとともに、ステープラ２６０の姿勢を、常にラック歯面２６８Ｂｒに対して垂直に保つ。
【００５３】
２６４Ａ、および２６４ＢＣは、ステープラ位置検出板であり、移動機構部基板２６４に固定されている。ステープラ位置検出板２６４Ａ、および２６４ＢＣについては後述する。
【００５４】
図４は、ステープラ支持基板２６９を説明する図である。
【００５５】
ステープラ支持基板２６９は、両端に取り付け部２６９Ｍ１および２６９Ｍ２を有する平板であり、取り付け部２６９Ｍ１および２６９Ｍ２に配された取り付け穴２６９Ｈ１１、１２および取り付け穴２６９Ｈ２１、２２を介して、綴じ装置２００に固定される。
【００５６】
ステープラ支持基板２６９における平面部分の、取り付け部２６９Ｍ１および２６９Ｍ２が配された面をＡ面２６９ＳＡ、その裏側の面をＢ面２６９ＳＢ、と称することにする。また、図示上方の端面を基準端面２９６Ａと称することにする。そして、ステープラ支持基板２６９は、Ａ面２６９ＳＡ、Ｂ面２６９ＳＢがスタッカ２５０の記録紙載置面２５０Ｓに平行に、かつ、基準端面２９６Ａがスタッカ２５０の記録紙後端ストッパ２５０Ｅに平行になるように綴じ装置２００に固定される。
【００５７】
ステープラ支持基板２６９は、その平面部分の中央に、直線部が基準端面２９６Ａに平行で、両端に湾曲を有する長穴２６９Ｈが配されている。長穴２６９Ｈは、ステープラ２６０の打針機構部２６１と移動機構部２６３とを連結する連結部材２６２がステープラ支持基板２６９の表裏を貫通させるとともに、ステープラ支持基板２６９の表裏に配設された打針機構部２６１と移動機構部２６３とが、後述するラック２６８も歯面に添って、移動するに際して、連結部材２６２がステープラ支持基板２６９に干渉しない形状に形成されている。
【００５８】
ステープラ支持基板２６９のＢ面２６９ＳＢには、ステープラ２６０をステープラ支持基板２６９の面に添って、所定の位置まで移動させるための部材が取り付けられている。
【００５９】
図５は、ステープラ２６０を移動させるための部材を取り付けたステープラ支持基板２６９をＢ面２６９ＳＢ側から見た図である。図５に示されるようには、Ｂ面２６９ＳＢには、ラック２６８、およびセンサＳＢ、センサＳＡｂセンサＳＡｃ、センサＳＣ、が取り付けられている。センサＳＢ、センサＳＡｂセンサＳＡｃ、センサＳＣは、それぞれ、ステープラが所定の位置である打針位置Ｂ、打針位置Ａｂ、打針位置Ａｃ、打針位置Ｃ、にあることを検出可能な位置に配置され、ステープラが所定の位置である打針位置Ｂ、打針位置Ａｂ、打針位置Ａｃ、打針位置Ｃ、にあるか否かを検出するステープラ位置検出手段として機能する。
【００６０】
図６はラック２６８を説明する図である。図６に示すように、ラック２６８は、基部２６８Ａとラック部２６８Ｂとを接合した形態をなす。ラック部はラック歯型が形成されたラック歯面２６８Ｂｒと、ラック歯面２６８Ｂｒに対して一定の幅ｗを保って形成された壁面２６８Ｂｈを有する。
【００６１】
ラック歯面２６８Ｂｒは直線をなす直線部２６８Ｂｒａと、直線部２６８Ｂｒａの両端に、２つの円弧部２６８Ｂｒｂ、２６８Ｂｒｃとを連結してなる。
【００６２】
湾曲部２６８Ｂｒｂ、２６８Ｂｒｃは、直線部２６８Ｂｒａとの接続位置にて直線部２６８Ｂｒａに接する円弧をなす。
【００６３】
ラック２６８は、図５に示されるように、ステープラ支持基板２６９に、ラック歯面２６８Ｂｒを端面２６９Ａに向け、かつ、直線部２６８Ｂｒａが基準端面２６９Ａに平行に取り付けられる。
【００６４】
ステープラ支持基板２６９に取り付けられたステープラ２６０は、駆動ギヤ２６６がラック歯面２６８Ｂｒとかみ合うことにより、ラック歯面２６８Ｂｒに添って移動する。
【００６５】
センサＳＢは、ステープラ支持基板２６９の面に添って移動するステープラ２６０が打針位置Ｂに移動されたとき、ステープラ２６０に配されたステープラ位置検出板２６４ＢＣを検出可能な位置に取り付けられている。
【００６６】
同様に、センサＳＣはステープラ支持基板２６９の面に添って移動するステープラ２６０が打針位置Ｃに移動されたとき、ステープラ２６０に配されたステープラ位置検出板２６４ＢＣを検出可能な位置に取り付けられている。
【００６７】
また、センサＳＡｂおよびセンサＳＡｃは、それぞれ、ステープラ支持基板２６９の面に添って移動するステープラ２６０が打針位置Ａｂあるいは打針位置Ａｂに移動されたとき、ステープラ２６０に配されたステープラ位置検出板２６４Ａを検出可能な位置に取り付けられている。
【００６８】
図７は、各打針位置に移動されたステープラ２６０を、移動機構部２６３側から見た図である。
【００６９】
ステープラ支持基板２６９に、取り付けられたステープラ２６０は、ステッピングモータＭｓにより駆動される駆動ギヤ２６６が、ステープラ支持基板２６９に固定されたラック２６８のラック歯面２６８Ｂｒとかみ合うことにより、ラック歯面２６８Ｂｒに添って移動する。
【００７０】
ラック歯面２６８Ｂｒに添って移動するステープラ２６０の駆動ギヤ２６６が、図示右側の湾曲部２６８Ｂｒｂにかみ合う位置に到達すると、ステープラ２６０は、湾曲部２６８Ｂｒｂの円弧の中心を中心として回動する。回動するステープラ２６０のステープラ位置検出板２６４ＢＣがセンサＳＢに検出される位置が、打針位置Ｂである。ステープラ２６０が打針位置Ｂにて打針を行うとき、コーナ綴じＢがなされる。
【００７１】
ラック歯面２６８Ｂｒに添って移動するステープラ２６０の駆動ギヤ２６６が、図示左側の湾曲部２６８Ｂｒｃにかみ合う位置に到達すると、ステープラ２６０は、湾曲部２６８Ｂｒｃの円弧の中心を中心として回動する。回動するステープラ２６０のステープラ位置検出板２６４ＢＣがセンサＳＣに検出される位置が、打針位置Ｃである。ステープラ２６０が打針位置Ｃにて打針を行うとき、コーナ綴じＣがなされる。
【００７２】
図示するように、センサＳＢ、ＳＣを湾曲部２６８Ｂｒｂ、あるいは湾曲部２６８Ｂｒｃの円弧の中心より離間して配置することにより、回動するステープラ２６０を打針位置Ｂ、あるいは打針位置Ｃに精度良く停止させることができる。
【００７３】
ステープラ２６０のステープラ位置検出板２６４ＡがセンサＳＡｂに検出される位置が、打針位置Ａｂである。同様に、ステープラ２６０のステープラ位置検出板２６４ＡがセンサセンサＳＡｃに検出される位置が、打針位置Ａｃである。
【００７４】
中央２箇所綴じは、打針位置Ａｂおよび打針位置Ａｃの２箇所にて打針を行うことによりなされる。なお、中央２箇所綴じは、ステープラ２６０は、先ず、打針位置Ａｂ、打針位置Ａｃのいずれかに一方の打針位置にて１箇所目の打針を行った後に、打針がなされていない方の打針位置に移動されて、２箇所目の打針を行う。
【００７５】
図８は、綴じ装置２００と接続された画像形成装置１００の制御系を示すブロック図である。
【００７６】
画像形成装置１００の制御部１９０は、画像形成装置１００が、画像形成を行うに際し、原稿の画像読み取り、画像処理、記録紙への画像形成、定着、および、記録紙の給紙、搬送、排紙等の動作を制御するものである。制御部１９０は、操作表示部１７０よりユーザにより入力されたジョブの内容に従って原稿読み取り部１１０に原稿の画像の読み取りを行わせ、次に、読み取った画像データを画像処理部１２０にて処理させる。そして、処理後の画像データを画像書き込み部１３０に感光体ドラムに照射させて、潜像を形成し、画像形成部１４０で給紙搬送部１５０から搬送されてきた記録紙Ｓに画像を転写させ、定着部１６０にて定着した後、機外に排出させるように制御する。
【００７７】
制御部１９０は、ＣＰＵ１９１、ＲＯＭ１９５、を有するコンピュータシステムである。ＣＰＵ１９１は、ＲＯＭ１９５に収納されたプログラムを実行することにより画像形成装置１００を動作させる。そして、操作表示部１７０から入力されたジョブ情報に基づいて画像形成装置１００の各部の動作を制御してジョブを実行させる。
【００７８】
画像形成装置１００はシリアル通信部１８１を介して綴じ装置２００と接続されており、ＣＰＵ１９１は、シリアル通信部１８１を経由して、綴じ装置２００が実行するジョブの情報、すなわち「綴じジョブ情報」を綴じ装置２００に伝達して、綴じ装置２００を動作させる。
【００７９】
画像形成装置１００から綴じ装置２００に伝達される「綴じジョブ情報」は、綴じ実施有無の選択結果、および、綴じが行われるときの綴じの位置の選択結果の情報、すなわち、「ステープラ位置指定情報」を含む。
【００８０】
綴じ装置２００は綴じ制御部２９０を有し、綴じ制御部２９０は、ＣＰＵ２９１、ＲＯＭ２９５、ＲＡＭ２９６、を有するコンピュータシステムである。
【００８１】
そして、シリアル通信部２８１を介して接続された画像形成装置１００からの制御情報を踏まえて綴じ装置２００の動作を制御する。
【００８２】
ＣＰＵ２９１は、ＲＯＭ２９５に収納されたプログラムを実行することにより綴じ装置２００を、動作させる。
【００８３】
ＲＡＭ２９６は複数の情報の収納と読み出しが可能な記憶手段である。
【００８４】
ＣＰＵ２９１は、画像形成装置１００から伝達される制御信号を踏まえて、綴じ装置２００を動作させる。
【００８５】
本実施の形態の綴じ装置２００は、画像形成装置１００に接続されており、画像形成装置１００操作表示部１７０に入力されたジョブ情報により、画像形成装置１００に連動して動作する。
【００８６】
綴じ装置２００の綴じ制御部２９０は、画像形成装置１００から伝達された「綴じジョブ情報」に基づいて、綴じ装置２００の動作を制御する。
【００８７】
綴じ制御部２９０は、画像形成装置１００から伝達された「綴じジョブ情報」に基づき、画像形成装置１００から受け入れた記録紙に綴じを施して排出、あるいは、そのまま排出するように綴じ装置２００の動作を制御する。
【００８８】
綴じ制御部２９０は、「綴じジョブ情報」に基づいて、画像形成装置１００から受け入れた記録紙に綴じを行うときには、受け入れた記録紙をスタッカ２５０に搬送し、「ステープラ位置指定情報」に指定された打針位置に移動させたステープラ２６０にて打針を行い冊子に形成する。
【００８９】
綴じ制御部２９０は、ステープラ移動手段である移動機構部２６３を制御して、ステープラ２６０を「綴じジョブ情報」における「ステープラ位置指定情報」に基づく打針位置、すなわち、ユーザが指定した綴じを実行可能な位置、に移動させ、打針を行わせる。綴じ制御部２９０は、特許請求の範囲に記した、ステープラおよびステープラ移動手段を制御する制御手段、として機能する。
【００９０】
綴じ制御部２９０は、ステープラ２６０が、「綴じジョブ情報」における「ステープラ位置指定情報」に基づく打針位置、すなわち、ユーザが指定した綴じを実行可能な位置にあるときは、その位置にて打針させる。また、ステープラ２６０が、「ステープラ位置指定情報」に基づく打針位置にないときは、移動機構部２６３を動作させて、ステープラ２６０を「ステープラ位置指定情報」に基づく打針位置、すなわち、ユーザが指定した綴じを実行可能な位置に移動させて打針させる。
【００９１】
ステープラ２６０が、「綴じジョブ情報」における「ステープラ位置指定情報」に基づく打針位置、すなわち、ユーザが指定した綴じを実行可能な位置にあるか否かは、「ステープラ位置指定情報」にて指定された綴じ位置に対応するセンサＳＢ、ＳＡｂ、ＳＡｃ、ＳＣのいずれかがステープラ２６０を検出しているか否かにより判断する。
【００９２】
綴じ制御部２９０は、コーナ綴じＢが指定されているとき、ステープラ２６０がセンサＳＢに検出される位置、すなわち、打針位置Ｂにある場合には、ステープラ２６０にその打針位置で打針を行わせる。また、ステープラ２６０がセンサＳＢに検出される位置にない、すなわち、打針位置Ｂにない場合には、移動機構部２６３を動作させて、ステープラ２６０をセンサＳＢがステープラ２６０を検出する位置、すなわち、打針位置Ｂに移動させて、打針を行わせることによりコーナ綴じＢを実行させる。
【００９３】
同様に、コーナ綴じＣが指定されているとき、ステープラ２６０がセンサＳＣに検出される位置、すなわち、打針位置Ｃにある場合には、ステープラ２６０にその打針位置で打針を行わせる。また、ステープラ２６０がセンサＳＣに検出される位置にない場合には、移動機構部２６３を動作させて、ステープラ２６０をセンサＳＣがステープラ２６０を検出する所定位置、すなわち、打針位置Ｃに移動させて、打針を行わせることによりコーナ綴じＣを実行させる。
【００９４】
また、中央２箇所綴じが指定されているとき、ステープラ２６０がセンサＳＡｂ、あるいは、センサＳＡｃに検出される所定位置、すなわち、打針位置Ａｂあるいは打針位置Ａｃにある場合には、ステープラ２６０にその位置で１箇所目の打針を行わせる。また、ステープラ２６０がセンサＳＡｂ、あるいは、センサＳＡｃのいずれにも検出される位置にない場合には、移動機構部２６３を動作させて、ステープラ２６０をセンサＳＡｂ、あるいは、センサＳＡｃのいずれかがステープラ２６０を検出する位置に移動させて、１箇所目の打針を行わせる。そして、１箇所目の打針を行わせた後に、移動機構部２６３を動作させて、センサＳＡｂ、あるいは、センサＳＡｃのうちの最初に検出されなかった方のセンサが検出する位置にステープラ２６０を移動させて、２箇所目の打針を行わせることにより中央２箇所綴じを実行させる。
【００９５】
次に、操作表示部１７０から入力されたジョブ情報に基づいて画像形成装置１００の制御部１９０が行う制御動作と「綴じジョブ情報」の発信、および、「綴じジョブ情報」に基づいてなされる綴じ装置２００による記録紙Ｓの後処理の動作を図９および図１０を参照して説明する。
【００９６】
図９は、画像形成装置１００の制御部１９０が行う画像形成動作と、綴じに関連して実行される情報の発信に係る制御を説明するフローチャートである。
【００９７】
図１０は、画像形成装置１００に接続された綴じ装置２００の綴じ制御部２９０が行う綴じ動作の制御を説明するフローチャートである。
【００９８】
以下、ユーザにより画像形成装置１００の操作表示部１７０に入力されたジョブ情報が、記録紙に綴じを行うものであり、綴じの選択結果は「中央２箇所綴じ」、１冊に綴じられる記録紙の枚数は８、であるときを実施例として説明する。また、実施例においては、中綴じ装置２００は、直前のジョブにてコーナ綴じＢを行っていたものとする。この場合、ステープラ２６０は、打針位置Ｂにある。
【００９９】
図９のフローチャートに示されるように、画像形成装置１００のＣＰＵ１９１は、ステップＳ１０１にて、ユーザにより操作表示部１７０にジョブ情報の入力がなされるのを待つ。入力されるジョブ情報には、記録紙に綴じを行うか否か、綴じを行うとき、綴じは、「中央２箇所綴じ」、「コーナ綴じＢ」、「コーナ綴じＣ」のいずれかの選択、１冊に綴じられる記録紙の枚数、形成する冊子の数、が含まれる。
【０１００】
なお、自動原稿送り装置ＤＦを使用して原稿を読み込む場合は、１冊に綴じられる記録紙の枚数は、自動原稿送り装置ＤＦが原稿を読み込む際にカウントした原稿の数としても良い。
【０１０１】
実施例においては、ユーザにより操作表示部１７０に入力されたジョブ情報は、記録紙に綴じを行い、綴じの選択結果は「中央２箇所綴じ」、１冊に綴じられる記録紙の枚数は８、形成する冊子の数は５、とする。
【０１０２】
ユーザにより、ジョブ情報の入力がなされる（ステップＳ１０１  Ｙｅｓ）と、ステップＳ１０２に移行する。
【０１０３】
ステップＳ１０２にて、ＣＰＵ１０９は、「綴じジョブ情報」を綴じ装置２００に発信し、ステップＳ１０３に移行する。
【０１０４】
「綴じジョブ情報」には、記録紙に綴じを行うか否かの選択、綴じを行うときは、「中央２箇所綴じ」、「コーナ綴じＢ」、「コーナ綴じＣ」のいずれかであるかの選択結果の情報、すなわち、「ステープラ位置指定情報」が含まれる。
【０１０５】
ユーザによる綴じの選択が、コーナ綴じＢであるときには「ステープラ位置指定情報」にて指定される打針位置は打針位置Ｂであり、コーナ綴じＣであるときには「ステープラ位置指定情報」にて指定される打針位置は打針位置Ｃである。また、中央２箇所綴じが選択されたとき、「ステープラ位置指定情報」にて指定されるステープラの打針位置は打針位置Ａｂ、打針位置Ａｃの２箇所である。
【０１０６】
実施例においては、綴じを行い、綴じは「中央２箇所綴じ」とする選択を含む「綴じジョブ情報」が綴じ装置２００に発信される。そして、「ステープラ位置指定情報」にて指定されるステープラの打針位置は打針位置Ａｂ、打針位置Ａｃの２箇所である。
【０１０７】
ステップＳ１０３にては、画像形成装置１００をジョブ内容に基づいて動作させ、ステップＳ１０４にて画像形成を行った記録紙Ｓを排出する。排出された記録紙Ｓは、綴じ装置２００に受け入れられる。
【０１０８】
続くステップＳ１０５にては、ステップＳ１０４にて排出した記録紙が、綴じがなされる記録紙束の最終紙であるか否かが確認される。排出した記録紙が記録紙束の最終紙であるか否かは、ステップＳ１０１にて入力されたジョブ情報の、１冊に綴じられる記録紙の枚数、と、画像形成装置１００が画像形成を行い順次排出した記録紙の数、と、から判断される。
【０１０９】
実施例では１冊に綴じられる記録紙の枚数は８であり、画像形成装置１００が画像形成を行い順次排出した記録紙の数が８に到達したか否かで判断される。
【０１１０】
記録紙が、綴じがなされる記録紙束の最終紙である（ステップＳ１０５  Ｙｅｓ）ときは、ステップＳ１０６にて、「最終紙情報」を発信する。記録紙が、綴じがなされる記録紙束の最終紙ではない（ステップＳ１０５  Ｎｏ）ときは、ステップＳ１０３に戻り、ステップＳ１０３〜ステップＳ１０５までの工程を、排出した記録紙が、綴じがなされる記録紙束の最終紙となるまで繰り返す。
【０１１１】
記録紙が、綴じがなされる記録紙束の最終紙であり、ステップＳ１０６にて、「最終紙情報」を発信したのちジョブ動作を終了する。
【０１１２】
一方、綴じ装置２００においては、図１０のフローチャートに示されるように、ＣＰＵ２９１は、ステップＳ２０１にて、画像形成装置１００からの「綴じジョブ情報」の発信を待つ。
【０１１３】
前述のように「綴じジョブ情報」には、記録紙に綴じを行うか否かの選択、綴じを行うときには、綴じは、「中央２箇所綴じ」、「コーナ綴じＢ」、「コーナ綴じＣ」のいずれかであるかの選択結果の情報、すなわち、「ステープラ位置指定情報」が含まれる。
【０１１４】
実施例においては、綴じを行い、行う綴じが「中央２箇所綴じ」である選択を含む「綴じジョブ情報」が画像形成装置１００のステップＳ１０２にて発信されている。
【０１１５】
そして、「綴じジョブ情報」を受信する（ステップＳ２０１  Ｙｅｓ）と、ステップＳ２０２に移行し、画像形成装置１００からステップＳ１０４にて排出された記録紙を受け入れ、ステップＳ２０３に移行する。
【０１１６】
ＣＰＵ２９１は、ステップＳ２０３にて、受け入れた記録紙が、綴じを行うものか否か、を確認する。受け入れた記録紙が、綴じを行うものか否か、は、画像形成装置１００から発信された「綴じジョブ情報」の内容に基づく。
【０１１７】
受け入れた記録紙が、綴じを行うものでない（ステップＳ２０３  Ｎｏ）ときにはステップＳ２１４に移行し、機外に排出する。具体的には、記録紙搬送部２１０に、排紙搬送路ｒ３を経由して搬送させ、排紙皿２１９に排出させる。
【０１１８】
また受け入れた記録紙が、綴じを行うものであるとき（ステップＳ２０３  Ｙｅｓ）にはステップＳ２０４に移行し、記録紙Ｓをスタッカ２５０に載置する。具体的には、記録紙搬送部２１０に、記録紙Ｓを綴じ搬送路ｒ２を経由して搬送させ、スタッカ２５０に載置させる。
【０１１９】
実施例においては、受信した「綴じジョブ情報」は、綴じを行うとする選択を含むので、受け入れた記録紙Ｓは、スタッカ２５０に載置される。
【０１２０】
ＣＰＵ２９１は、ステップＳ２０５にて、画像形成装置１００から発信される「最終紙情報」を受信しているか否かを確認する。「最終紙情報」を受信しているときはスタッカ２５０に載置した記録紙が記録紙束の最終紙であると判断する。
【０１２１】
「最終紙情報」を受信していない（ステップＳ２０５  Ｎｏ）ときには、ステップＳ２０２に戻り、ステップＳ２０２〜ステップＳ２０５の工程を、「最終紙情報」を受信するまで繰り返す。
【０１２２】
実施例においては、ジョブに指定された、１冊に綴じられる記録紙の枚数は８であり、画像形成装置１００は画像形成を行い順次排出した記録紙の数が８に到達するとステップＳ１０６にて、「最終紙情報」を発信する。画像形成装置１００から「最終紙情報」が発信されたときは、綴じ装置２００が画像形成装置１００より受け入れ、スタッカ２５０に載置した記録紙は８枚であり、枚数８枚の記録紙束Ｓｓがスタッカ２５０上に形成されていることになる。
【０１２３】
「最終紙情報」を受信している（ステップＳ２０５  Ｙｅｓ）ときは、ステップＳ２０６に移行する。
【０１２４】
次いでＣＰＵ２９１は、ステップＳ２０６にて、ステープラ２６０が、「綴じジョブ情報」に指定された綴じを実行可能な位置、すなわち、「ステープラ位置指定情報」に指定された打針位置にあるか否かを確認する。
【０１２５】
「綴じジョブ情報」における綴じの選択が、コーナ綴じＢであるときには「ステープラ位置指定情報」に指定された打針位置は打針位置Ｂであり、コーナ綴じＣであるときには「ステープラ位置指定情報」に指定された打針位置は打針位置Ｃである。また、中央２箇所綴じが選択されたとき、「ステープラ位置指定情報」にて指定されるステープラの打針位置は打針位置Ａｂ、打針位置Ａｃの２箇所である。
【０１２６】
前述のように、ステープラ２６０が、打針位置Ｂ、打針位置Ａｂ、打針位置Ａｃ、打針位置Ｃ、のいずれかにあるときには、打針位置Ｂ、打針位置Ａｂ、打針位置Ａｃ、打針位置Ｃ、に対応して配置されているセンサＳＢ、センサＳＡｂ、センサＳＡｃ、センサＳＣ、のいずれか、ステープラ２６０を検出したセンサよりステープラ検出情報が発信される。
【０１２７】
ＣＰＵ２９１は、センサＳＢ、ＳＡｂ、ＳＡｃ、ＳＣからのステープラ検出情報の有無を確認し、ステープラ検出情報を発信しているセンサに対応する打針位置にステープラがあるものと判断する。そして、ステープラ検出情報を発信しているセンサに対応する打針位置が、「綴じジョブ情報」における「ステープラ位置指定情報」に指定された打針位置であるとき（ステップＳ２０６  Ｙｅｓ）には、ステープラ２６０を移動させることなく、ステップＳ２０８に移行する。なお、「綴じジョブ情報」に指定された綴じが、中央２箇所綴じであるときには、「綴じジョブ情報」における「ステープラ位置指定情報」に指定される打針位置は、打針位置Ａｂ、および、打針位置Ａｃである。したがって、ステープラ２６０が、打針位置Ａｂ、および、打針位置Ａｃのいずれかにあるときは、「綴じジョブ情報」における「ステープラ位置指定情報」に指定された打針位置にあると判断し、ステップＳ２０８に移行する。
【０１２８】
また、ステープラ検出情報を発信しているセンサに対応する打針位置が、「綴じジョブ情報」における「ステープラ位置指定情報」に指定された打針位置ではないとき（ステップＳ２０６  Ｎｏ）には、ステップＳ２０７に移行し、ステープラ２６０を「綴じジョブ情報」における「ステープラ位置指定情報」に指定された打針位置に移動させ、ステップＳ２０８に移行する。ステップＳ２０７にては、ＣＰＵ２９１は、移動機構部２６３のステッピングモータＭｓを動作させて、「綴じジョブ情報」における「ステープラ位置指定情報」に指定された打針位置にステープラ２６０を移動させる。
【０１２９】
実施例においては、「綴じジョブ情報」に指定された綴じは、「中央２箇所綴じ」であり、また、ステープラ２６０は、は前回のジョブにてコーナ綴じＢを実施した打針位置Ｂにある。打針位置Ｂは、ステップＳ２０６にて確認される「中央２箇所綴じ」の実行が不可能な打針位置であるので、ステップＳ２０７にて、ステープラ２６０は、前回の打針位置である打針位置Ｂから最至近位置にある「中央２箇所綴じ」の実行が可能な打針位置である打針位置Ａｂに移動される。
【０１３０】
ＣＰＵ２９１は、ステップＳ２０７にて、ステープラ２６０を、「綴じジョブ情報」「ステープラ位置指定情報」に指定された綴じを実行可能な打針位置に移動させると、ステップＳ２０８に移行する。
【０１３１】
ステップＳ２０８にては、ステープラ２６０にスタッカ２５０に形成された記録紙束Ｓｓに打針を行わせる。ステープラ２６０は、「綴じジョブ情報」に指定された綴じを実行可能な打針位置にあるので、その打針位置で打針することにより、「綴じジョブ情報」に指定された綴じがなされる。
【０１３２】
次いで、ＣＰＵ２９１は、ステップＳ２０９にて、「綴じジョブ情報」に指定された綴じは「中央２箇所綴じ」であるか否かを確認する。指定された綴じが「中央２箇所綴じ」でない（ステップＳ２０９  Ｎｏ）ときには、ステップＳ２１４に移行する。指定された綴じが「中央２箇所綴じ」である（ステップＳ２０９  Ｙｅｓ）ときには、ステップＳ２１０に移行する。
【０１３３】
ステップＳ２１０にては、ステップＳ２０８にて実行した打針が、打針位置Ａｂにてなされたものか否かを確認する。打針位置Ａｂにてなされたものである（ステップＳ２１０  Ｙｅｓ）ときには、ステップＳ２１１に移行し、ステープラ２６０を打針位置Ａｃに移動させ、ステップＳ２１３に移行する。打針が打針位置Ａｂにてなされたものでない（ステップＳ２１０  Ｎｏ）ときには、ステップＳ２１２に移行し、ステープラ２６０を打針位置Ａｂに移動させ、ステップＳ２１３に移行する。
【０１３４】
ＣＰＵ２９１は、ステップＳ２１３にて、ステープラ２６０に記録紙束Ｓｓに打針を行わせる。このように、ステップＳ２１３にて、ステップＳ２０８で行った１箇所目の打針と異なる打針位置での２箇所目の打針が行われることにより、打針位置Ａｂ、Ａｃの２箇所にて打針がなされた「中央２箇所綴じ」となる。
【０１３５】
実施例においては、「綴じジョブ情報」に指定された綴じは「中央２箇所綴じ」であるのでステップＳ２１０に移行する。そして、ステップＳ２０８にて実行した打針（１箇所目）は打針位置Ａｂにてなされているので、ステップＳ２１１にて、ステープラ２６０を打針位置Ａｃに移動させる。そして、ステップＳ２１３にて、打針位置Ａｃにて２箇所目の打針を行う。こうして、ステップＳ２０８における打針位置Ａｂにおける打針と合わせて、記録紙束Ｓｓへの「中央２箇所綴じ」がなされる。
【０１３６】
ＣＰＵ２９１は、続くステップＳ２１４にて、「綴じジョブ情報」に指定された綴じがなされた記録紙束Ｓｓ（冊子）を、平排紙皿２１９に排出させ、綴じ装置２００の動作を終了させる。
【０１３７】
このように、本発明の実施の形態の一例である綴じ装置２００は、打針に際して、ステープラ２６０の位置を確認し、ステープラ２６０が「綴じジョブ情報」に指定された綴じを実行可能である打針位置にあるときにはステープラ２６０を移動させず記録紙束に打針させるので、ステープラ移動のための時間を必要としない、生産性の高い綴じが可能である。
【０１３８】
すなわち、本発明により、生産性の高い綴じ装置を提供することができる。また、生産性の高い綴じ装置と画像形成装置とからなる綴じシステムを提供することができる。
【０１３９】
なお、本実施の形態における綴じ装置２００は、画像形成装置１００から発信された「綴じジョブ情報」により綴じを行うが、綴じ装置に、綴じの種類の選択等を入力可能な綴じ情報入力手段を配し、綴じ制御部２９０が綴じ情報入力手段から入力された綴じの種類の選択等より「綴じジョブ情報」を形成し、該「綴じジョブ情報」にて綴じを行うように構成しても良い。このように、綴じ情報入力手段から入力された「綴じジョブ情報」にて綴じを可能とすることにより、綴じ装置を単独で動作させて、綴じを行うことができる。
【図面の簡単な説明】
【０１４０】
【図１】本発明の実施の形態の一例である綴じ装置２００を画像形成装置１００に接続した綴じシステムを説明する図である。
【図２】記録紙束Ｓｓへ打針を行うに際しての、ステープラ２６０の位置を説明する図である。
【図３】ステープラ２６０を説明する図である。
【図４】ステープラ支持基板２６９を説明する図である。
【図５】ステープラ２６０を移動させるための部材を取り付けたステープラ支持基板２６９をＢ面側から見た図である。
【図６】ラック２６８を説明する図である。
【図７】各打針位置に移動されたステープラ２６０を移動機構部２６３側から見た図である。
【図８】綴じ装置２００と接続された画像形成装置１００の制御系を示すブロック図である。
【図９】画像形成装置１００の制御部１９０が行う画像形成動作と、綴じに関連して実行される情報の発信に係る制御を説明するフローチャートである。
【図１０】画像形成装置１００に接続された綴じ装置２００の綴じ制御部２９０が行う綴じ動作の制御を説明するフローチャートである。
【図１１】図１１は、綴じにおける打針位置の例を示す図である。
【図１２】図１２は、ステープラの移動位置の例を示す図である。
【符号の説明】
【０１４１】
１００  画像形成装置
１１０  原稿読み取り部
１２０  画像処理部
１３０  画像書き込み部
１４０  画像形成部
１５０  給紙搬送部
１６０  定着部
１７０  操作表示部
１９０  制御部
２００  綴じ装置
２１０  記録紙搬送部
２５０  スタッカ
２６０  ステープラ
２６１  打針機構部
２６２  連結部材
２６３  移動機構部
２９０  綴じ制御部
２１９  排紙皿
Ｍｓ  ステッピングモータ
Ｓ  記録紙
ＳＢ、ＳＡｂ、ＳＡｃ、ＳＣ  センサ
【図１】
2010058936.tif 000003
【図２】
2010058936.tif 000004
【図３】
2010058936.tif 000005
【図４】
2010058936.tif 000006
【図５】
2010058936.tif 000007
【図６】
2010058936.tif 000008
【図７】
2010058936.tif 000009
【図８】
2010058936.tif 000010
【図９】
2010058936.tif 000011
【図１０】
2010058936.tif 000012
【図１１】
2010058936.tif 000013
【図１２】
2010058936.tif 000014